(57)【要約】【課題】表示パネルの周縁部のパネル支持部付近と他の部分との間で照明光の輝度むらの発生を抑制できる支持体を備えた表示装置を提供する。【解決手段】一側に表示面を有する表示パネル１と、表示パネル１への照明光を透過させる光学シート２と、一面が開放された直方体の箱状をなし、内部に並置した複数本の蛍光管５を保持する保持体７と、パネル支持部３１、溝部３３及び本体部３２が高光反射率の材料にて形成され、溝部３３のパネル支持部側の内面に低光反射率の遮蔽体３３ｄを設けた支持体３とを備え、表示パネル１の他側の周縁部をパネル支持部３１にて支持し、光学シート２の周縁部を溝部３３にて保持し、蛍光管５の端部を本体部３２にて隠蔽し、蛍光管５から発光した光が保持体７の開放側から出射して光学シート２に入射するように、支持体３を保持体７に取り付けてある。【選択図】図１
2010250178.tif 000002
【特許請求の範囲】
【請求項１】
表示パネルの周縁部を支持するパネル支持部と、該パネル支持部から離隔した位置に設けられ、前記表示パネルに対向する光学シートの周縁部を保持する溝部と、該溝部から前記パネル支持部とは反対側へ連設された本体部とを備えた支持体において、
前記パネル支持部、溝部及び本体部が高光反射率の材料にて形成され、前記溝部のパネル支持部側の内面に低光反射率の遮蔽体を設けてあることを特徴とする支持体。
【請求項２】
表示パネルの周縁部を支持するパネル支持部と、該パネル支持部から離隔した位置に設けられ、前記表示パネルに対向する光学シートの周縁部を保持する溝部と、該溝部から前記パネル支持部とは反対側へ連設された本体部とを備えた支持体において、
前記パネル支持部、溝部及び本体部が低光反射率の材料にて形成され、前記本体部の表面に高光反射率の部材を取り付けてあることを特徴とする支持体。
【請求項３】
表示パネルの周縁部を支持するパネル支持部と、該パネル支持部から離隔した位置に設けられ、前記表示パネルに対向する光学シートの周縁部を保持する溝部と、該溝部から前記パネル支持部とは反対側へ連設された本体部とを備えた支持体において、
前記パネル支持部と、該パネル支持部側の前記溝部の内面とが低光反射率の材料にて形成され、前記本体部が高光反射率の材料にて形成してあり、該低光反射率及び高光反射率の両部分を結合してあることを特徴とする支持体。
【請求項４】
一側に表示面を有する表示パネルと、該表示パネルへの照明光を透過させる光学シートと、一面が開放された直方体の箱状をなし、光源を保持する保持体と、請求項１から３いずれか１項に記載の支持体とを備え、前記表示パネルの他側の周縁部を前記パネル支持部にて支持し、前記光学シートの周縁部を前記溝部にて保持し、前記光源から発光した光が前記保持体の開放側から出射して前記光学シートに入射するように、前記支持体を前記保持体に取り付けてあることを特徴とする表示装置。
【請求項５】
一側に表示面を有する表示パネルと、該表示パネルへの照明光を透過させる光学シートと、複数本の蛍光管と、一面が開放された直方体の箱状をなし、内部に並置した前記蛍光管を保持する保持体と、請求項１から３いずれか１項に記載の支持体とを備え、前記表示パネルの他側の周縁部を前記パネル支持部にて支持し、前記光学シートの周縁部を前記溝部にて保持し、前記蛍光管の端部を前記本体部にて隠蔽し、前記蛍光管から発光した光が前記保持体の開放側から出射して前記光学シートに入射するように、前記支持体を前記保持体に取り付けてあることを特徴とする表示装置。
【請求項６】
前記表示パネル及び光学シートが矩形状をなし、該矩形の両短辺又は両長辺の一方に前記支持体が配置され、前記両短辺又は両長辺の他方に前記表示パネルの周縁部を支持するパネル支持部を備えた補助支持体が配置されるように該補助支持体を前記保持体に取り付けてあることを特徴とする請求項４又は５に記載の表示装置。
【発明の詳細な説明】
【技術分野】
【０００１】
本発明は、液晶表示装置等の他発光型の表示パネル及び光学シートの周縁部を支持するための支持体、及び該支持体を備える表示装置に関する。
【背景技術】
【０００２】
液晶表示装置等において、表示パネルの周縁部を支持するパネル支持部と、パネル支持部から離隔した位置に設けられ、蛍光管から発した表示パネルへの照明光を透過させる光学シートの周縁部を保持する溝部と、該溝部からパネル支持部とは反対側へ連設され、反射面をなす本体部とを一体に備えた支持体が公知である（例えば特許文献１参照）。尚、該本体部は蛍光管の輝度が低い端部部分を隠すカバーの役割も果たしている。
【先行技術文献】
【特許文献】
【０００３】
【特許文献１】特開２００５−３３１９１１号公報
【発明の概要】
【発明が解決しようとする課題】
【０００４】
従来の表示装置において、蛍光管等の光源から発した照明光が本体部（反射面）で反射される反射光の輝度を高めるために、前記支持体を高光反射率の材料（例えば、白色の合成樹脂材料）にて一体成形した場合、光学シートに入射した照明光が前記溝部に達し、溝部の内面によって高い反射率で乱反射されてパネル支持部側に漏れ、パネル支持部付近の表示パネルに対する照明光の輝度が高くなり、他の部分の表示パネルとの間で輝度むらが生じて画質が低下する不都合があった。
【０００５】
本発明は、上述したような事情に鑑みてなされたものであり、表示パネルの周縁部のパネル支持部付近と他の部分との間で照明光の輝度むらの発生を抑制できる支持体、及びかかる支持体を備えた表示装置を提供することを目的とする。
【課題を解決するための手段】
【０００６】
本発明に係る支持体は、表示パネルの周縁部を支持するパネル支持部と、該パネル支持部から離隔した位置に設けられ、前記表示パネルに対向する光学シートの周縁部を保持する溝部と、該溝部から前記パネル支持部とは反対側へ連設された本体部とを備えた支持体において、前記パネル支持部、溝部及び本体部が高光反射率の材料にて形成され、前記溝部のパネル支持部側の内面に低光反射率の遮蔽体を設けてあることを特徴とする。
【０００７】
本発明によれば、表示パネルへ向かう照明光は一部が高光反射率の本体部で反射されながら、周縁部が溝部で保持された光学シートに入射し、光学シートを通過して表示パネルを照明する。光学シートに入射した光の一部は光学シート内を伝搬して溝部に達するが、溝部のパネル支持部側の内面に設けた低光反射率の遮蔽体によって遮蔽されて、高光反射率の溝部の内面では反射されず、該低光反射率の遮蔽体での反射光の強度が低いので、反射光が溝部からパネル支持部側に漏れる光量が少なくなる。その結果、パネル支持部付近の表示パネルに対する照明光の輝度が溝部の内面での反射によって高くなることはなく、パネル支持部付近と他の部分との間の輝度むらの発生が抑制される。
【０００８】
本発明に係る支持体は、表示パネルの周縁部を支持するパネル支持部と、該パネル支持部から離隔した位置に設けられ、前記表示パネルに対向する光学シートの周縁部を保持する溝部と、該溝部から前記パネル支持部とは反対側へ連設された本体部とを備えた支持体において、前記パネル支持部、溝部及び本体部が低光反射率の材料にて形成され、前記本体部の表面に高光反射率の部材を取り付けてあることを特徴とする。
【０００９】
本発明によれば、表示パネルへ向かう照明光は一部が高光反射率の部材を表面に取り付けた本体部で反射されながら、周縁部が溝部で保持された光学シートに入射し、光学シートを通過して表示パネルを照明する。光学シートに入射した光の一部は光学シート内を伝搬して溝部に達するが、低光反射率の材料である溝部の内面での反射光の強度が低いので、反射光が溝部からパネル支持部側に漏れる光量が少なくなる。その結果、パネル支持部付近の表示パネルに対する照明光の輝度が溝部の内面での反射によって高くなることはなく、パネル支持部付近と他の部分との間の輝度むらの発生が抑制される。
【００１０】
本発明に係る支持体は、表示パネルの周縁部を支持するパネル支持部と、該パネル支持部から離隔した位置に設けられ、前記表示パネルに対向する光学シートの周縁部を保持する溝部と、該溝部から前記パネル支持部とは反対側へ連設された本体部とを備えた支持体において、前記パネル支持部と、該パネル支持部側の前記溝部の内面とが低光反射率の材料にて形成され、前記本体部が高光反射率の材料にて形成してあり、該低光反射率及び高光反射率の両部分を結合してあることを特徴とする。
【００１１】
本発明によれば、表示パネルへ向かう照明光は一部が高光反射率の材料で形成された本体部で反射されながら、周縁部が溝部で保持された光学シートに入射し、光学シートを通過して表示パネルを照明する。光学シートに入射した光の一部は光学シート内を伝搬して溝部に達するが、低光反射率の材料である溝部の内面での反射光の強度が低いので、反射光が溝部からパネル支持部側に漏れる光量が少なくなる。その結果、パネル支持部付近の表示パネルに対する照明光の輝度が溝部の内面での反射によって高くなることはなく、パネル支持部付近と他の部分との間の輝度むらの発生が抑制される。
【００１２】
本発明に係る表示装置は、一側に表示面を有する表示パネルと、該表示パネルへの照明光を透過させる光学シートと、一面が開放された直方体の箱状をなし、光源を保持する保持体と、本発明に係る前記支持体とを備え、前記表示パネルの他側の周縁部を前記パネル支持部にて支持し、前記光学シートの周縁部を前記溝部にて保持し、前記光源から発光した光が前記保持体の開放側から出射して前記光学シートに入射するように、前記支持体を前記保持体に取り付けてあることを特徴とする。
【００１３】
本発明によれば、一面が開放された直方体の箱状をなす保持体の内部に保持された光源から発光した光が保持体の開放側から出射し、一部が支持体の本体部で反射されながら、周縁部が支持体の溝部で保持された光学シートに入射する。光学シートに入射した光は光学シートを通過し、一側に表示面を有し他側の周縁部が支持体のパネル支持部で支持された表示パネルの他側を照明する。光学シートに入射した光の一部は光学シート内を伝搬して溝部に達するが、溝部の内面では反射されず、反射光が溝部からパネル支持部側へは漏れることがないので、パネル支持部付近の表示パネルの他側に対する照明光の輝度が溝部の内面での反射によって高くなることはなく、表示パネルを表示面側から見たときにパネル支持部付近と他の部分との間の輝度むらの発生が抑制される。
【００１４】
本発明に係る表示装置は、一側に表示面を有する表示パネルと、該表示パネルへの照明光を透過させる光学シートと、複数本の蛍光管と、一面が開放された直方体の箱状をなし、内部に並置した前記蛍光管を保持する保持体と、本発明に係る前記支持体とを備え、前記表示パネルの他側の周縁部を前記パネル支持部にて支持し、前記光学シートの周縁部を前記溝部にて保持し、前記蛍光管の端部を前記本体部にて隠蔽し、前記蛍光管から発光した光が前記保持体の開放側から出射して前記光学シートに入射するように、前記支持体を前記保持体に取り付けてあることを特徴とする。
【００１５】
本発明によれば、一面が開放された直方体の箱状をなす保持体の内部に並置され、端部を支持体の本体部で隠蔽された複数の蛍光管から発光した光が保持体の開放側から出射し、一部が支持体の本体部で反射されながら、周縁部が支持体の溝部で保持された光学シートに入射する。光学シートに入射した光は光学シートを通過し、一側に表示面を有し他側の周縁部が支持体のパネル支持部で支持された表示パネルの他側を照明する。光学シートに入射した光の一部は光学シート内を伝搬して溝部に達するが、溝部の内面では反射されず、反射光が溝部からパネル支持部側へは漏れることがないので、パネル支持部付近の表示パネルの他側に対する照明光の輝度が溝部の内面での反射によって高くなることはなく、表示パネルを表示面側から見たときにパネル支持部付近と他の部分との間の輝度むらの発生が抑制される。
【００１６】
本発明に係る表示装置は、前記表示パネル及び光学シートが矩形状をなし、該矩形の両短辺又は両長辺の一方に前記支持体が配置され、前記両短辺又は両長辺の他方に前記表示パネルの周縁部を支持するパネル支持部を備えた補助支持体が配置されるように該補助支持体を前記保持体に取り付けてあることを特徴とする。
【００１７】
本発明によれば、矩形状をなす表示パネル及び光学シートの両短辺に前記支持体を配置した場合、表示パネルの両短辺側の周縁部が前記支持体のパネル支持部に支持され、光学シートの両短辺側の周縁部が前記支持体の溝部に保持され、表示パネルの両長辺側の周縁部は該両長辺に配置した前記補助支持体に備えたパネル支持部に支持される。一方、矩形状をなす表示パネル及び光学シートの両長辺に前記支持体を配置した場合、表示パネルの両長辺側の周縁部が前記支持体のパネル支持部に支持され、光学シートの両長辺側の周縁部が前記支持体の溝部に保持され、表示パネルの両短辺側の周縁部は該両短辺に配置した前記補助支持体に備えたパネル支持部に支持される。
【発明の効果】
【００１８】
本発明に係る支持体によれば、光学シートの周縁部を保持する溝部の内面での光の乱反射によってパネル支持部付近の照明光の輝度が高くなることを防止し、表示パネルの周縁部のパネル支持部付近と他の部分との間の照明光の輝度むらの発生を抑制できる支持体が提供される。
【００１９】
加えて、パネル支持部、溝部及び本体部を高光反射率の材料にて形成し、溝部のパネル支持部側の内面に低光反射率の遮蔽体を設ける支持体の場合は、ベースとなる支持体を高光反射率の樹脂材料等の一体成形によって低コストで作製できる利点がある。
また、パネル支持部、溝部及び本体部を低光反射率の材料にて形成し、本体部の表面に高光反射率の部材を取り付ける支持体の場合は、ベースとなる支持体を低光反射率の樹脂材料等の一体成形によって低コストで作製できる利点がある。
また、パネル支持部と該パネル支持部側の溝部の内面とを低光反射率の材料にて形成し、本体部を高光反射率の材料にて形成し、該低光反射率及び高光反射率の両部分を結合する支持体の場合は、溝部の内面又は本体部の表面への後加工が不要となる利点がある。
【００２０】
本発明に係る表示装置によれば、本発明に係る支持体を備えることにより、表示パネルを表示面から見たときに周縁部のパネル支持部付近と他の部分との間の照明光の輝度むらの発生を抑制し、画質の低下を適切に回避するようにした表示装置が提供される。
【図面の簡単な説明】
【００２１】
【図１】本発明の実施の形態１に係る支持体を備えた液晶表示装置の構成を示す断面図である。
【図２】図１の液晶表示装置の構成の一部を示す模式的斜視図である。
【図３】図１の液晶表示装置の構成の一部を示す模式的斜視図である。
【図４】図１の液晶表示装置の構成の一部を示す断面図である。
【図５】本発明の実施の形態２に係る支持体を示す断面図である。
【図６】本発明の実施の形態３に係る支持体を示す断面図である。
【図７】本発明の実施の形態４に係る支持体を示す断面図である。
【発明を実施するための形態】
【００２２】
以下、本発明に係る支持体を備えた表示装置の実施の形態を液晶表示装置に適用した場合を例に図面に基づいて説明する。
【００２３】
実施の形態１
図１は本発明の実施の形態１に係る支持体を備えた液晶表示装置の構成を示す断面図、図２は同液晶表示装置の構成の一部を示す模式的斜視図、図３は同液晶表示装置の構成の一部を示す模式的斜視図、図４は同液晶表示装置の構成の一部を示す断面図である。
【００２４】
本発明に係る液晶表示装置は、前キャビネット９及び後キャビネット１０の内部に、一側（前側）に表示面１ａを有する表示パネル１と、表示パネル１の他側（後側）に対向するように配置された光学シート２と、光学シート２を通して表示パネル１の他側を照明する照明光を発する複数の蛍光管５と、表示パネル１及び光学シート２の周縁部を支持する支持体３と、表示パネル１の周縁部を支持する補助支持体４等を備えている。
【００２５】
表示パネル１は横長の直方体形状をなす。光学シート２は、反射偏光板、プリズムシート、拡散シート等の比較的薄肉の合成樹脂シート２１と、比較的厚肉の拡散板２２とが積層された積層シートであり、表示パネル１に対応する大きさの直方体形状をなす。
【００２６】
蛍光管５は縦方向に略等間隔で並置され、各蛍光管５の両端部を保持するランプホルダ６を備えた保持体７の内部に収容保持されている。保持体７は、略直方体の箱型をなし、前側が開放され、底部にランプホルダ６が設けてある箱部７１と、該箱部７１の４つの周壁の夫々の前側端縁から外方へ延出され、二つの支持体３，３及び二つの補助支持体４，４が取り付けられる４つの取付片７２〜７５とを有する。蛍光管５は両端部に電極を有する冷陰極管または熱陰極管である。
【００２７】
箱部７１の開放側は横長の矩形状をなし、該矩形の両短辺側に位置する第１及び第２の取付片７２，７３の長さ方向両端部及び中間箇所に、支持体３を雄螺子にて取り付けるための第１の取付孔７７が開設され、該矩形の両長辺側に位置する第３及び第４の取付片７４，７５の長さ方向両端部及び中間箇所に、補助支持体４を雄螺子にて取り付けるための第１の取付孔７７が開設されている。
【００２８】
箱部７１の底面は、蛍光管５が発光した光を箱部７１の開放側へ反射させる反射面になっており、該反射面として、第３及び第４の取付片７４，７５に両端部が固定され、断面が略コの字状をなす矩形状の反射シート７６を設けている。反射シート７６は、取付片７４，７５側の端部で箱部７１の底部に近い部分が開放端に近い部分よりも箱の内方に位置するように傾斜している。箱部７１の後壁には回路基板等の電気部品が取り付けてあり、図示はしないが、各蛍光管５の電極にインバータ回路基板が接続され、パルス幅変調信号により明るさが制御されている。
【００２９】
支持体３は、表示パネル１のパネル面に沿った受け面を有し、表示パネル１の長辺側の周縁部の後側を支持するパネル支持部３１と、パネル支持部３１から離隔した位置にあり、光学シート２の両短辺側の周縁部を保持する溝部３３と、溝部３３からパネル支持部３１とは反体側へ連設された本体部３２とを備え、ポリカーボネート等の白色系の高光反射率の合成樹脂材にて一体成形されている。
【００３０】
溝部３３は、光学シート２のシート面に沿った面を有し、光学シート２の縁部を支持するシート受部３３ａと、該シート受部３３ａの外周側端部で表示パネル１側へ屈曲され、光学シート２のシート面に沿った移動を規制する規制部３３ｂと、該規制部３３ｂの端部でシート受部３３ａと対向するように屈曲されたパネル支持片３３ｃとにより断面コの字形をなし、パネル支持片３３ｃの外面がパネル支持部３１を構成している。シート受部３３ａの外周側には被取付片３４が延設され、該被取付片３４の複数箇所に、第１の取付孔７７に対応した貫通孔３７が開設されている。
【００３１】
溝部３３のパネル支持片３３ｃ及び規制部３３ｂの内面には、低光反射率の遮蔽体３３ｄが設けてある。該遮蔽体３３ｄは、例えばパネル支持片３３ｃ及び規制部３３ｂの内面に塗布した黒色の塗料、又は該内面に接着した黒色テープなどで構成される。光学シート２に入射した照明光が光学シート２内を伝搬して溝部３３に達しても、遮蔽体３３ｄで遮蔽（吸収）され、溝部３３のパネル支持部３１側の高光反射率の内面では反射されない。特に黒色の遮蔽体３３ｄでの反射率は低いので、パネル支持部３１側へ反射光が漏れてパネル支持部３１付近の照明光の輝度が他の部分より高くなることが防止される。
【００３２】
本体部３２は、箱部７１の底部に近い先端部が蛍光管５の端部から離れる側に位置するように、蛍光管５の長さ方向に対して傾斜し、本体部３２の先端部には蛍光管５の並置間隔に対応した複数の凹部３２ａを有している。該本体部３２の各凹部３２ａに蛍光管５の端部が配されることにより、蛍光管５の端部及びランプホルダ６が隠蔽される。また、高光反射率である本体部３２の表面によって蛍光管５からの光が高い反射率で反射され、保持体７内の照明光の輝度を高めることができる。本体部３２の溝部３３側の端部には、光学シート２の端部を溝部３３内へ案内する複数の案内凸部３２ｂを設けている。
【００３３】
補助支持体４は、表示パネル１のパネル面に沿った受け面を有し、表示パネル１の長辺側の周縁部の後側を支持するパネル支持部４１と、該パネル支持部４１の外周側端部で取付片７４，７５の側へ屈曲され、光学シート２のシート面に沿った移動を規制する規制部４２ａと、規制部４２ａの端部で取付片７４，７５の表面と平行に外周側へ屈曲された基部４２ｂとを備えた断面形状をなし、黒色系の低光反射率の合成樹脂材にて一体成形されている。該基部４２ｂの外周側への屈曲部分の複数箇所に、第１の取付孔７７に対応した貫通孔４３が開設されている。
【００３４】
表示パネル１の周縁部の前側を保持する枠体１２が設けてある。枠体１２は、表示パネル１の周縁部前面と対向する環板部１２ａと、該環板部１２ａの外周端部から後方側へ延出する側枠部１２ｂとを有し、環板部１２ａの内面側に、表示パネル１の前面に接触する帯状の弾性部材１３が貼り付けられている。一方、支持体３のパネル支持部３１には表示パネル１の後面に接触する帯状の弾性部材１４が貼り付けられている。
【００３５】
また、保持体７の第１〜第４の取付片７２〜７５の複数個所に、枠体１２を雄螺子にて取り付けるための第２の取付孔７８が開設され、枠体１２の環板部１２ａには各取付孔７８に対応して貫通孔が開設されている。さらに、第２の取付孔７８の位置に対応して、支持体３の被取付片３４の複数箇所に貫通孔３８が開設され、補助支持体４に貫通孔４４が開設されている。複数のボルトを枠体１２の貫通孔から、支持体３の貫通孔３８及び補助支持体４の貫通孔４４に挿通させて第１〜第４の取付片７２〜７５の第２の取付孔７８に捩じ込むことにより、表示パネル１の周縁部が枠体１２と支持体３及び補助支持体４とにより挟持され、保持体７に固定保持される。
【００３６】
以上のように構成された表示装置の組み立ては次の（１）〜（７）の工程により行う。
（１）作業台上に開放側が上向きとなるように平置きされ、内壁部に反射シート７６が設けられた保持体７の箱部７１内に複数の蛍光管５を並置し、蛍光管５の両端部をランプホルダ６に保持させる。
（２）保持体７の第１及び第２の取付片７２，７３に夫々支持体３，３を載置し、支持体３，３の第１の貫通孔３７，３７に雄螺子を挿入し、該雄螺子を取付片７２，７３の第１の取付孔７７に捩じ込み、支持体３，３を保持体７に取り付ける。
（３）光学シート２の短辺側の一端部を一方の支持体３の溝部３３に挿入し、光学シート２の短辺側の他端部を他方の支持体３の溝部３３に挿入する。このとき、光学シート２の長辺側の両端部は第３及び第４の取付片７４，７５上の反射シート７６の端部に載置される。これにより、光学シート２が蛍光管５と平行な状態で保持される。
（４）保持体７の第３及び第４の取付片７４，７５に夫々補助支持体４，４を載置し、補助支持体４，４の第１の貫通孔４３，４３に雄螺子を挿入し、該雄螺子を取付片７４，７５の第１の取付孔７７に捩じ込み、補助支持体４，４を保持体７に取り付ける。
（５）支持体３，３のパネル支持部３１及び補助支持体４，４のパネル支持部４１の上に表示面１ａを上側にした表示パネル１の周縁部を載置する。
（６）表示パネル１の周縁部に枠体１２を載置し、枠体１２の環板部１２ａに開設した貫通孔から雄螺子を挿入し、保持体７の第１〜第４の取付片７２〜７５に開設した第２の取付孔７８に捩じ込むことにより、枠体１２と支持体３，３及び補助支持体４，４との間に表示パネル１の周縁部が挟持され、表示パネル１と保持体７とが一体に結合される。
（７）図示しないスタンドにより、表示パネル１及び保持体７を作業台上に起立させた後、前キャビネット９を表示パネル１の前側に配置して取り付け、後キャビネット１０を保持体７の後側に配置して取り付ける。
【００３７】
尚、本実施の形態１では、矩形状の表示パネル１を横向きに配置し、表示パネル１の両短辺側に、パネル支持部３１と溝部３３とを備えた支持体３，３を配置し、表示パネル１の両長辺側にはパネル支持部４１を有するがシート保持用の溝部を有しない補助支持体４，４を配置し、光学シート２の両短辺側の周縁部を溝部３３にて保持するようにしたが、矩形状の表示パネル１を縦向きに配置する場合は、表示パネル１の両長辺側に、パネル支持部３１と溝部３３とを備えた支持体３，３を配置し、表示パネル１の両短辺側にはパネル支持部４１を有するがシート保持用の溝部を有しない補助支持体４，４を配置する。また、表示パネル１の両短辺及び両長辺にパネル支持部３１と溝部３３とを備えた支持体３，３を配置するようにしてもよい。
【００３８】
実施の形態２
図５は本発明の実施の形態２に係る支持体３Ａを示す断面図である。実施の形態２の支持体３Ａは、パネル支持部３１、溝部３３及び本体部３２Ａが黒色系の低光反射率の合成樹脂材にて一体成形され、本体部３２Ａの表面に白色系の高光反射率の反射板８が取り付けられる一方、溝部３３には黒色の遮蔽体３３ｄを設けていない点で、実施の形態１の支持体３と異なる。
【００３９】
反射板８の裏面に複数の突条ｔ１が設けられ、本体部３２Ａの表面には突条ｔ１が嵌合可能な複数の凹溝ｔ２が設けられ、反射板８の突条ｔ１を本体部３２Ａの凹溝ｔ２に押し込んで嵌合させることにより、本体部３２Ａの表面に反射板８が取り付けられる。
【００４０】
実施の形態２の支持体３Ａによれば、光源からの照明光は本体部３２Ａの表面に取り付けた高光反射率の反射板８により高い反射率で反射される。一方、光学シート２に入射した照明光が光学シート２内を伝搬して溝部３３に達しても、黒色系の低光反射率の材料である溝部３３の内面での反射光の強度は低いので、パネル支持部３１側へ反射光が漏れてパネル支持部３１付近の照明光の輝度が他の部分より高くなることが防止される。
【００４１】
実施の形態３
図６は本発明の実施の形態３に係る支持体３Ｂを示す断面図である。実施の形態３の支持体３Ｂは、パネル支持片３３ｃ（パネル支持部３１）と規制部３３ｂとを含む部分３Ｂ１が黒色系の低光反射率の合成樹脂材にて一体成形され、シート受部３３ａと本体部３２とを含む部分３Ｂ２が白色系の高光反射率の合成樹脂材にて一体成形され、該低光反射率の部分３Ｂ１と高光反射率の部分３Ｂ２とを結合してある点で、実施の形態１の支持体３と異なる。
【００４２】
低光反射率の部分３Ｂ１の規制部３３ｂに突条ｔ３が設けられ、シート受部３３ａに突条ｔ３が嵌合可能な凹溝ｔ４が設けられ、突条ｔ３を凹溝ｔ４に押し込んで嵌合させることにより、低光反射率の部分３Ｂ１と高光反射率の部分３Ｂ２とが結合される。
【００４３】
実施の形態３の支持体３Ｂによれば、光源からの照明光は高光反射率の本体部３２により高い反射率で反射される。一方、光学シート２に入射した照明光が光学シート２内を伝搬して溝部３３に達しても、黒色系の低光反射率の材料である溝部３３のパネル支持部３１側の内面での反射光の強度は低いので、パネル支持部３１側へ反射光が漏れてパネル支持部３１付近の照明光の輝度が他の部分より高くなることが防止される。
【００４４】
実施の形態４
図７は実施の形態４に係る支持体３Ｃを示す断面図である。実施の形態４の支持体３Ｃは、パネル支持片３３ｃ（パネル支持部３１）を含む部分３Ｃ１が黒色系の低光反射率の合成樹脂材にて一体成形され、規制部３３ｂとシート受部３３ａと本体部３２とを含む部分３Ｃ２が白色系の高光反射率の合成樹脂材にて一体成形され、該低光反射率の部分３Ｃ１と高光反射率の部分３Ｃ２とを結合してある点で、実施の形態１の支持体３と異なる。
【００４５】
低光反射率の部分３Ｃ１のパネル支持片３３ｃに突条ｔ５が設けられ、規制部３３ｂに突条ｔ５が嵌合可能な凹溝ｔ６が設けられ、突条ｔ５を凹溝ｔ６に押し込んで嵌合させることにより、低光反射率の部分３Ｃ１と高光反射率の部分３Ｃ２とが結合される。
【００４６】
実施の形態４の支持体３Ｃによれば、光源からの照明光は高光反射率の本体部３２により高い反射率で反射される。一方、光学シート２に入射した照明光が光学シート２内を伝搬して溝部３３に達しても、黒色系の低光反射率の材料である溝部３３のパネル支持部３１側の内面での反射光の強度は低いので、パネル支持部３１側へ反射光が漏れてパネル支持部３１付近の照明光の輝度が他の部分より高くなることが防止される。
【００４７】
前述の実施の形態１〜４では、高光反射率の材料、部材を白色系の樹脂材で構成し、低光反射率の材料、部材を黒色系の塗料及び樹脂材で構成したが、高光反射率の材料、部材を白色以外の色の高光反射率の樹脂材等により構成し、低光反射率の材料、部材を黒色以外の色の低光反射率の樹脂材等により構成してもよい。
【００４８】
前述の実施の形態１〜４では、箱状の保持体７の内部に並置された複数の蛍光管５を照明光の光源としたが、蛍光管以外に、例えば箱状の保持体７の内部に保持された複数個のＬＥＤ、平面状の有機ＥＬパネル等を照明光の光源としてもよい。
【００４９】
前述の実施の形態１〜４では、本発明に係る支持体を液晶表示装置の表示パネル及び光学シートを支持する構造に適用したが、液晶表示装置以外の他発光型の表示装置の表示パネル及び光学シートを支持する構造に適用できる。
【符号の説明】
【００５０】
１        表示パネル
１ａ      表示面
２        光学シート
３        支持体（高光反射率の材料）
３Ａ      支持体（低光反射率の材料）
３Ｂ      支持体
３Ｂ１    低光反射率の部分
３Ｂ２    高光反射率の部分
３Ｃ      支持体
３Ｃ１    低光反射率の部分
３Ｃ２    高光反射率の部分
３１      パネル支持部
３３      溝部
３３ｄ    遮蔽体
３２      本体部
３２Ａ    本体部
４        補助支持体
４１      パネル支持部
５        蛍光管
７        保持体
８        反射板（高光反射率の部材）
【図１】
2010250178.tif 000003
【図２】
2010250178.tif 000004
【図３】
2010250178.tif 000005
【図４】
2010250178.tif 000006
【図５】
2010250178.tif 000007
【図６】
2010250178.tif 000008
【図７】
2010250178.tif 000009